(57)【特許請求の範囲】
【請求項１】
試料に測定光を照射して、その試料で反射された反射光を分光測光することによりその試料の分光反射率を測定する、紫外領域の光強度が相対的に高い第１の測定光を照射して行う測定と、紫外領域の光強度が相対的に低い第２の測定光を照射して行う測定との双方が可能な分光反射率測定部と、
蛍光物質を含む蛍光試料に対し前記分光反射率測定部によって前記第１の測定光が照射されて、反射光と蛍光とが混合した光が分光測光されることにより測定された見かけ上の第１の分光反射率と、該蛍光試料に対し前記分光反射率測定部によって前記第２の測定光が照射されて、反射光と蛍光とが混合した光が分光測光されることにより測定された見かけ上の第２の分光反射率とが入力され、所定の観察光が前記蛍光試料に照射されたときの該蛍光試料の色を表す三刺激値Ｘ，Ｙ，Ｚのうち少なくともいずれか１つの三刺激値Ｗを、その１つの三刺激値Ｗと、前記蛍光試料に含まれている蛍光物質が前記観察光によって励起される観察光励起エネルギーＥｉｌと、所定の補正係数Ｅｃｐと、前記蛍光試料に含まれている蛍光物質が前記第１の測定光によって励起される測定光励起エネルギーＥｕと、前記第１の分光反射率と同じ分光反射率を真の分光反射率として有する仮想的な第１の物質に前記第１の測定光が照射されたときの該第１の物質の色を表す三刺激値Ｘｕ，Ｙｕ，Ｚｕのうち前記１つの三刺激値Ｗに対応する三刺激値Ｗｕと、前記第２の分光反射率と同じ分光反射率を真の分光反射率として有する仮想的な第２の物質に前記第１の測定光が照射されたときの該第２の物質の色を表す三刺激値Ｘｕｖ，Ｙｕｖ，Ｚｕｖのうち前記１つの三刺激値Ｗに対応する三刺激値Ｗｕｖと、前記第２の物質に前記観察光が照射されたときの該第２の物質の色を表す三刺激値Ｘ０，Ｙ０，Ｚ０のうち前記１つの三刺激値Ｗに対応する三刺激値Ｗ０とが、
Ｗ＝Ｗ０＋（Ｅｉｌ−Ｅｃｐ）×（Ｗｕ−Ｗｕｖ）／Ｅｕ
なる関係を満たすように算出する三刺激値算出部とを備えたことを特徴とする測色装置。
【請求項２】
蛍光物質を含む蛍光試料に対し、紫外領域の光強度が相互に異なる２つの測定光のうち紫外領域の光強度が相対的に高い第１の測定光を照射して、その蛍光試料による反射光と蛍光とが混合した光を分光測光することにより見かけ上の第１の分光反射率を測定する第１の測定ステップと、
前記蛍光試料に対し、前記複数の測定光のうち紫外領域の光強度が相対的に低い第２の測定光を照射して、その蛍光試料による反射光と蛍光とが混合した光を分光測光することにより見かけ上の第２の分光反射率を測定する第２の測定ステップと、
所定の観察光が前記蛍光試料に照射されたときの該蛍光試料の色を表す三刺激値Ｘ，Ｙ，Ｚのうち少なくともいずれか１つの三刺激値Ｗを、その１つの三刺激値Ｗと、前記蛍光試料に含まれている蛍光物質が前記観察光によって励起される観察光励起エネルギーＥｉｌと、所定の補正係数Ｅｃｐと、前記蛍光試料に含まれている蛍光物質が前記第１の測定光によって励起される測定光励起エネルギーＥｕと、前記第１の測定ステップで測定された第１の分光反射率と同じ分光反射率を真の分光反射率として有する仮想的な第１の物質に前記第１の測定光が照射されたときの該第１の物質の色を表す三刺激値Ｘｕ，Ｙｕ，Ｚｕのうち前記１つの三刺激値Ｗに対応する三刺激値Ｗｕと、前記第２の測定ステップで測定された第２の分光反射率と同じ分光反射率を真の分光反射率として有する仮想的な第２の物質に前記第１の測定光が照射されたときの該第２の物質の色を表す三刺激値Ｘｕｖ，Ｙｕｖ，Ｚｕｖのうち前記１つの三刺激値Ｗに対応する三刺激値Ｗｕｖと、前記第２の物質に前記観察光が照射されたときの該第２の物質の色を表す三刺激値Ｘ０，Ｙ０，Ｚ０のうち前記１つの三刺激値Ｗに対応する三刺激値Ｗ０とが、
Ｗ＝Ｗ０＋（Ｅｉｌ−Ｅｃｐ）×（Ｗｕ−Ｗｕｖ）／Ｅｕ
なる関係を満たすように算出する三刺激値算出ステップとを有することを特徴とする測色方法。
【請求項３】
紫外領域の光強度が互いに異なる所定の２つの測定光のうち、紫外領域の光強度が相対的に高い第１の測定光が、蛍光物質を含む蛍光試料に照射されて、その蛍光試料による反射光と蛍光とが混合した光が分光測光されることにより測定された見かけ上の第１の分光反射率を取得する第１の分光反射率取得ステップ、
前記２つの測定光のうち紫外領域の光強度が相対的に低い第２の測定光が前記蛍光試料に照射されて、その蛍光試料による反射光と蛍光とが混合した光が分光測光されることにより測定された見かけ上の第２の分光反射率を取得する第２の分光反射率取得ステップ、
前記蛍光試料に所定の観察光が照射されたときの該蛍光試料の色を表す三刺激値Ｘ，Ｙ，Ｚのうち少なくともいずれか１つの三刺激値Ｗを取得する三刺激値取得ステップ、および
前記三刺激値取得ステップで取得された三刺激値Ｗと、前記蛍光試料に含まれている蛍光物質が前記観察光によって励起される観察光励起エネルギーＥｉｌと、前記蛍光試料に含まれている蛍光物質が前記第１の測定光によって励起される測定光励起エネルギーＥｕと、前記第１の分光反射率取得ステップで取得された第１の分光反射率と同じ分光反射率を真の分光反射率として有する仮想的な第１の物質に前記第１の測定光が照射されたときの該第１の物質の色を表す三刺激値Ｘｕ，Ｙｕ，Ｚｕのうち前記１つの三刺激値Ｗに対応する三刺激値Ｗｕと、前記第２の分光反射率取得ステップで取得された第２の分光反射率と同じ分光反射率を真の分光反射率として有する仮想的な第２の物質に前記第１の測定光が照射されたときの該第２の物質の色を表す三刺激値Ｘｕｖ，Ｙｕｖ，Ｚｕｖのうち前記１つの三刺激値Ｗに対応する三刺激値Ｗｕｖと、前記第２の物質に前記観察光が照射されたときの該第２の物質の色を表す三刺激値Ｘ０，Ｙ０，Ｚ０のうち前記１つの三刺激値Ｗに対応する三刺激値Ｗ０とに対して補正係数Ｅｃｐが、
Ｗ＝Ｗ０＋（Ｅｉｌ−Ｅｃｐ）×（Ｗｕ−Ｗｕｖ）／Ｅｕ
なる関係を満たすように、補正係数Ｅｃｐの値、観察光励起エネルギーＥｉｌと補正係数Ｅｃｐとの差の値、補正係数Ｅｃｐと測定光励起エネルギーＥｕとの比の値、観察光励起エネルギーＥｉｌと補正係数Ｅｃｐとの差と測定光励起エネルギーＥｕとの比の値、および補正係数Ｅｃｐと観察光励起エネルギーＥｉｌと測定光励起エネルギーＥｕとを四則演算で組み合わせた係数の値のうち少なくともいずれか１つの値を算出する算出ステップを有することを特徴とする係数算出方法。
【請求項４】
前記蛍光試料として、互いに異なる蛍光物質を含む複数種類の蛍光試料が存在し、
前記第１の分光反射率取得ステップが、前記複数種類の蛍光試料それぞれについて測定された分光反射率を取得するものであり、
前記第２の分光反射率取得ステップも、前記複数種類の蛍光試料それぞれについて測定された分光反射率を取得するものであり、
前記算出ステップが、補正係数Ｅｃｐの値、観察光励起エネルギーＥｉｌと補正係数Ｅｃｐとの差の値、補正係数Ｅｃｐと測定光励起エネルギーＥｕとの比の値、観察光励起エネルギーＥｉｌと補正係数Ｅｃｐとの差と測定光励起エネルギーＥｕとの比の値、および補正係数Ｅｃｐと観察光励起エネルギーＥｉｌと測定光励起エネルギーＥｕとを四則演算で組み合わせた係数の値のうち少なくともいずれか１つの値を前記複数種類の蛍光試料それぞれについて算出するものであることを特徴とする請求項３記載の係数算出方法。
【請求項５】
前記第１の測定光と前記第２の測定光との組み合わせとして、測定光のスペクトルが異なる複数の組み合わせが存在し、
前記第１の分光反射率取得ステップが、前記複数の組み合わせそれぞれの第１の測定光が照射されて測定された分光反射率を取得するものであり、
前記第２の分光反射率取得ステップも、前記複数の組み合わせそれぞれの第２の測定光が照射されて測定された分光反射率を取得するものであり、
前記算出ステップが、補正係数Ｅｃｐの値、観察光励起エネルギーＥｉｌと補正係数Ｅｃｐとの差の値、補正係数Ｅｃｐと測定光励起エネルギーＥｕとの比の値、観察光励起エネルギーＥｉｌと補正係数Ｅｃｐとの差と測定光励起エネルギーＥｕとの比の値、および補正係数Ｅｃｐと観察光励起エネルギーＥｉｌと測定光励起エネルギーＥｕとを四則演算で組み合わせた係数の値のうち少なくともいずれか１つの値を、前記複数の組み合わせそれぞれについて算出するものであることを特徴とする請求項３記載の係数算出方法。
【請求項６】
紫外領域の光強度が互いに異なる所定の２つの測定光のうち、紫外領域の光強度が相対的に高い第１の測定光が、蛍光物質を含む蛍光試料に照射されて、その蛍光試料による反射光と蛍光とが混合した光が分光測光されることにより測定された見かけ上の第１の分光反射率を取得する第１の分光反射率取得手段、
前記２つの測定光のうち紫外領域の光強度が相対的に低い第２の測定光が、前記蛍光試料に照射されて、その蛍光試料による反射光と蛍光とが混合した光が分光測光されることにより測定された見かけ上の第２の分光反射率を取得する第２の分光反射率取得手段、
前記蛍光試料に所定の観察光が照射されたときの該蛍光試料の色を表す三刺激値Ｘ，Ｙ，Ｚのうち少なくともいずれか１つの三刺激値Ｗを取得する三刺激値取得手段、および
前記三刺激値取得手段によって取得された三刺激値Ｗと、前記蛍光試料に含まれている蛍光物質が前記観察光によって励起される観察光励起エネルギーＥｉｌと、前記蛍光試料に含まれている蛍光物質が前記第１の測定光によって励起される測定光励起エネルギーＥｕと、前記第１の分光反射率取得手段によって取得された第１の分光反射率と同じ分光反射率を真の分光反射率として有する仮想的な第１の物質に前記第１の測定光が照射されたときの該第１の物質の色を表す三刺激値Ｘｕ，Ｙｕ，Ｚｕのうち前記１つの三刺激値Ｗに対応する三刺激値Ｗｕと、前記第２の分光反射率取得手段によって取得された第２の分光反射率と同じ分光反射率を真の分光反射率として有する仮想的な第２の物質に前記第１の測定光が照射されたときの該第２の物質の色を表す三刺激値Ｘｕｖ，Ｙｕｖ，Ｚｕｖのうち前記１つの三刺激値Ｗに対応する三刺激値Ｗｕｖと、前記第２の物質に前記観察光が照射されたときの該第２の物質の色を表す三刺激値Ｘ０，Ｙ０，Ｚ０のうち前記１つの三刺激値Ｗに対応する三刺激値Ｗ０とに対して補正係数Ｅｃｐが、
Ｗ＝Ｗ０＋（Ｅｉｌ−Ｅｃｐ）×（Ｗｕ−Ｗｕｖ）／Ｅｕ
なる関係を満たすように、補正係数Ｅｃｐの値、観察光励起エネルギーＥｉｌと補正係数Ｅｃｐとの差の値、補正係数Ｅｃｐと測定光励起エネルギーＥｕとの比の値、観察光励起エネルギーＥｉｌと補正係数Ｅｃｐとの差と測定光励起エネルギーＥｕとの比の値、および補正係数Ｅｃｐと観察光励起エネルギーＥｉｌと測定光励起エネルギーＥｕとを四則演算で組み合わせた係数の値のうち少なくともいずれか１つの値を算出する算出手段を備えたことを特徴とする係数算出装置。
【請求項７】
紫外領域の光強度が互いに異なる所定の２つの測定光のうち、紫外領域の光強度が相対的に高い第１の測定光が、蛍光物質を含む蛍光試料に照射されて、その蛍光試料による反射光と蛍光とが混合した光が分光測光されることにより測定された見かけ上の第１の分光反射率を取得する第１の分光反射率取得手段、
前記２つの測定光のうち紫外領域の光強度が相対的に低い第２の測定光が、前記蛍光試料に照射されて、その蛍光試料による反射光と蛍光とが混合した光が分光測光されることにより測定された見かけ上の第２の分光反射率を取得する第２の分光反射率取得手段、
前記蛍光試料に所定の観察光が照射されたときの該蛍光試料の色を表す三刺激値Ｘ，Ｙ，Ｚのうち少なくともいずれか１つの三刺激値Ｗを取得する三刺激値取得手段、および
前記三刺激値取得手段によって取得された三刺激値Ｗと、前記蛍光試料に含まれている蛍光物質が前記観察光によって励起される観察光励起エネルギーＥｉｌと、前記蛍光試料に含まれている蛍光物質が前記第１の測定光によって励起される測定光励起エネルギーＥｕと、前記第１の分光反射率取得手段によって取得された第１の分光反射率と同じ分光反射率を真の分光反射率として有する仮想的な第１の物質に前記第１の測定光が照射されたときの該第１の物質の色を表す三刺激値Ｘｕ，Ｙｕ，Ｚｕのうち前記１つの三刺激値Ｗに対応する三刺激値Ｗｕと、前記第２の分光反射率取得手段によって取得された第２の分光反射率と同じ分光反射率を真の分光反射率として有する仮想的な第２の物質に前記第１の測定光が照射されたときの該第２の物質の色を表す三刺激値Ｘｕｖ，Ｙｕｖ，Ｚｕｖのうち前記１つの三刺激値Ｗに対応する三刺激値Ｗｕｖと、前記第２の物質に前記観察光が照射されたときの該第２の物質の色を表す三刺激値Ｘ０，Ｙ０，Ｚ０のうち前記１つの三刺激値Ｗに対応する三刺激値Ｗ０とに対して補正係数Ｅｃｐが、
Ｗ＝Ｗ０＋（Ｅｉｌ−Ｅｃｐ）×（Ｗｕ−Ｗｕｖ）／Ｅｕ
なる関係を満たすように、補正係数Ｅｃｐの値、観察光励起エネルギーＥｉｌと補正係数Ｅｃｐとの差の値、補正係数Ｅｃｐと測定光励起エネルギーＥｕとの比の値、観察光励起エネルギーＥｉｌと補正係数Ｅｃｐとの差と測定光励起エネルギーＥｕとの比の値、および補正係数Ｅｃｐと観察光励起エネルギーＥｉｌと測定光励起エネルギーＥｕとを四則演算で組み合わせた係数の値のうち少なくともいずれか１つの値を算出する算出手段を備えた係数算出プログラムが記憶されてなることを特徴とする係数算出プログラム記憶媒体。
【発明の詳細な説明】
【０００１】
【発明の属する技術分野】
本発明は、所定の観察光下における試料の色の測色値を求める測色装置、測色方法、そのような測色装置、測色方法に用いられる補正係数などを算出する係数算出方法、係数算出装置、係数算出プログラム記憶媒体に関する。
【０００２】
【従来の技術】
例えば、印刷機によって作成された印刷画像の色とカラープリンタによって作成されたハードコピー画像の色とをマッチングさせ、あるいは、モニタに表示されたソフトコピー画像の色と印刷画像やハードコピー画像の色とをマッチングさせるため、印刷機やカラープリンタやモニタ等といった出力装置それぞれでの網点面積率、露光強度、ＣＲＴ制御信号などといった出力制御値と、各出力装置で作成された画像の色の測色値との対応関係を求めておき、この対応関係を用いて、異なる出力装置により作成された画像の色が等色するように各出力装置での出力制御値を調整することが行われている。ここで、画像の色の測色値としては、例えば、ＸＹＺ系の三刺激値やＲＧＢ系の三刺激値やＣＩＥＬＡＢ値などが考えられる。
【０００３】
このような調整を正確に行って正確なカラーマッチングを実現するためには、上記対応関係を正確に求めることが必要であり、画像の色の正確な測色値が必要である。
【０００４】
一般的な測色方法では、試料に所定の測定光を照射して、試料によって反射された反射光を分光測光することにより分光反射率を測定し、その分光反射率と所定の観察光のスペクトルと等色関数とを用いて、その観察光が照射されたときの試料の色の三刺激値を測色値として求めている。そして、ＣＩＥＬＡＢ値などが必要な場合には、この三刺激値からＣＩＥＬＡＢ値が算出される。
【０００５】
しかし、印刷用紙、プリント用紙、印画紙などの多くには、白味を増すことを目的として蛍光増白剤が含まれている。この蛍光増白剤は、蛍光物質の一種であり、紫外光を吸収して可視域の蛍光を発する。このため、蛍光の分だけ見かけ上の分光反射率が高くなり測色値が不正確となる。
【０００６】
【発明が解決しようとする課題】
これに対し、蛍光の分を考慮した上で正確な測色値を求める測色方法が特開平１０−１７６９５３号広報に提案されている。この広報で提案されている測色方法では、光に含まれる紫外領域の光成分をほぼ完全にカットする紫外カットフィルタが用いられており、所定の測定光源が発した光そのままの第１の測定光と、測定光源が発した光のうち紫外カットフィルタにより紫外領域の光成分がカットされた第２の測定光が用意される。そして、これらの第１の測定光と第２の測定光が、蛍光物質を含む蛍光試料に照射されて、それぞれ、見かけ上の第１の分光反射率と第２の分光反射率が測定され、第１および第２の分光反射率と第１および第２の測定光のスペクトルと等色関数とに基づいて、第１の分光反射率を真の反射率として有する仮想的な第１の物質に第１の測定光が照射されたときのその第１の物質の色を表す三刺激値Ｘｕ，Ｙｕ，Ｚｕが算出され、第２の分光反射率を真の反射率として有する仮想的な第２の物質に第１の測定光が照射されたときのその第２の物質の色を表す三刺激値Ｘｕｖ，Ｙｕｖ，Ｚｕｖも算出される。また、第２の分光反射率と所定の観察光のスペクトルに基づいて、上記第２の物質に観察光が照射されたときのその第２の物質の色を表す三刺激値Ｘ０，Ｙ０，Ｚ０も算出される。さらに、試料に含まれている蛍光物質の紫外吸収スペクトルと、第１の測定光のスペクトルに基づいて、蛍光物質が第１の測定光によって励起される測定光励起エネルギーＥｕが算出され、その紫外吸収スペクトルと、観察光のスペクトルに基づいて、蛍光物質が観察光によって励起される観察光励起エネルギーＥｉｌが算出される。そして、これらの算出値に対して、観察光が蛍光試料に照射されたときの蛍光試料の色を表す三刺激値Ｘ，Ｙ，Ｚが
Ｘ＝Ｘ０＋Ｅｉｌ×（Ｘｕ−Ｘｕｖ）／Ｅｕ
Ｙ＝Ｙ０＋Ｅｉｌ×（Ｙｕ−Ｙｕｖ）／Ｅｕ
Ｚ＝Ｚ０＋Ｅｉｌ×（Ｚｕ−Ｚｕｖ）／Ｅｕ
なる関係を満たすようにそれらの三刺激値Ｘ，Ｙ，Ｚが算出される。
【０００７】
このような測色方法によれば正確な測色値が得られるが、この測色方法を実現するための測色装置は、カラーマッチングを行いたい出力装置が設置されている現場まで持ち運べるような簡易な装置として実現することが難しい。
【０００８】
一方、紫外カットフィルタを備えた簡易な分光反射率測定装置が市販されているが、そのような簡易な分光反射率測定装置の紫外カットフィルタは、紫外領域の光成分を充分にカットすることができないことが多い。このため、この簡易な分光反射率測定装置によって測定された分光反射率を用いると、上述した関係式では正確な測色値を算出することができないという問題がある。
【０００９】
本発明は、上記事情に鑑み、正確な測色値を得ることができる簡易な測色装置、そのような簡易な測色装置で実施可能な測色方法、そのような測色装置、測色方法に用いられる補正係数などを算出する係数算出方法、係数算出装置、係数算出プログラム記憶媒体を提供することを目的とする。
【００１０】
【課題を解決するための手段】
上記目的を達成する本発明の測色装置は、試料に測定光を照射して、その試料で反射された反射光を分光測光することによりその試料の分光反射率を測定する、紫外領域の光強度が相対的に高い第１の測定光を照射して行う測定と、紫外領域の光強度が相対的に低い第２の測定光を照射して行う測定との双方が可能な分光反射率測定部と、
蛍光物質を含む蛍光試料に対し分光反射率測定部によって第１の測定光が照射されて、反射光と蛍光とが混合した光が分光測光されることにより測定された見かけ上の第１の分光反射率と、その蛍光試料に対し分光反射率測定部によって第２の測定光が照射されて、反射光と蛍光とが混合した光が分光測光されることにより測定された見かけ上の第２の分光反射率とが入力され、所定の観察光が上記蛍光試料に照射されたときの蛍光試料の色を表す三刺激値Ｘ，Ｙ，Ｚのうち少なくともいずれか１つの三刺激値Ｗを、その１つの三刺激値Ｗと、上記蛍光試料に含まれている蛍光物質が観察光によって励起される観察光励起エネルギーＥｉｌと、所定の補正係数Ｅｃｐと、蛍光試料に含まれている蛍光物質が第１の測定光によって励起される測定光励起エネルギーＥｕと、第１の分光反射率と同じ分光反射率を真の分光反射率として有する仮想的な第１の物質に第１の測定光が照射されたときのその第１の物質の色を表す三刺激値Ｘｕ，Ｙｕ，Ｚｕのうち上記１つの三刺激値Ｗに対応する三刺激値Ｗｕと、第２の分光反射率と同じ分光反射率を真の分光反射率として有する仮想的な第２の物質に第２の測定光が照射されたときのその第２の物質の色を表す三刺激値Ｘｕｖ，Ｙｕｖ，Ｚｕｖのうち上記１つの三刺激値Ｗに対応する三刺激値Ｗｕｖと、第２の物質に観察光が照射されたときのその第２の物質の色を表す三刺激値Ｘ０，Ｙ０，Ｚ０のうち上記１つの三刺激値Ｗに対応する三刺激値Ｗ０とが、
Ｗ＝Ｗ０＋（Ｅｉｌ−Ｅｃｐ）×（Ｗｕ−Ｗｕｖ）／Ｅｕ      …（１）
なる関係を満たすように算出する三刺激値算出部とを備えたことを特徴とする。
【００１１】
本発明の測色装置によれば、補正係数Ｅｃｐを含む上記関係式（１）を満たすように三刺激値Ｗが算出される。この補正係数Ｅｃｐが関係式（１）中の上記位置に含まれているために、補正係数Ｅｃｐの適切な値があらかじめ用意されていることによって、上記第２の測定光に含まれる紫外領域の光成分の影響をキャンセルすることができる。つまり、紫外領域の光成分の除去能力が不十分な紫外カットフィルタが用いられて分光反射率が測定される場合であっても正確な測色値を求めることができる。但し、本発明にいう三刺激値算出部では、必ずしも補正係数Ｅｃｐの値が用意されている必要はなく、例えば、観察光励起エネルギーＥｉｌと補正係数Ｅｃｐとの差の値や、補正係数Ｅｃｐと測定光励起エネルギーＥｕとの比の値などといった値が用意されていて、その値が用いられて測色値が求められてもよい。以下では、正確な測色値を求めるために用いられる、補正係数Ｅｃｐの値や、観察光励起エネルギーＥｉｌと補正係数Ｅｃｐとの差の値などのことを「補正係数等」と称する場合がある。
【００１２】
また、上記目的を達成する本発明の測色方法は、蛍光物質を含む蛍光試料に対し、紫外領域の光強度が相互に異なる２つの測定光のうち紫外領域の光強度が相対的に高い第１の測定光を照射して、その蛍光試料による反射光と蛍光とが混合した光を分光測光することにより見かけ上の第１の分光反射率を測定する第１の測定ステップと、
上記蛍光試料に対し、上記複数の測定光のうち紫外領域の光強度が相対的に低い第２の測定光を照射して、その蛍光試料による反射光と蛍光とが混合した光を分光測光することにより見かけ上の第２の分光反射率を測定する第２の測定ステップと、
所定の観察光が上記蛍光試料に照射されたときのその蛍光試料の色を表す三刺激値Ｘ，Ｙ，Ｚのうち少なくともいずれか１つの三刺激値Ｗを、その１つの三刺激値Ｗと、上記蛍光試料に含まれている蛍光物質が観察光によって励起される観察光励起エネルギーＥｉｌと、所定の補正係数Ｅｃｐと、上記蛍光試料に含まれている蛍光物質が第１の測定光によって励起される測定光励起エネルギーＥｕと、第１の測定ステップで測定された第１の分光反射率と同じ分光反射率を真の分光反射率として有する仮想的な第１の物質に第１の測定光が照射されたときのその第１の物質の色を表す三刺激値Ｘｕ，Ｙｕ，Ｚｕのうち上記１つの三刺激値Ｗに対応する三刺激値Ｗｕと、第２の測定ステップで測定された第２の分光反射率と同じ分光反射率を真の分光反射率として有する仮想的な第２の物質に第１の測定光が照射されたときのその第２の物質の色を表す三刺激値Ｘｕｖ，Ｙｕｖ，Ｚｕｖのうち上記１つの三刺激値Ｗに対応する三刺激値Ｗｕｖと、第２の物質に観察光が照射されたときのその第２の物質の色を表す三刺激値Ｘ０，Ｙ０，Ｚ０のうち上記１つの三刺激値Ｗに対応する三刺激値Ｗ０とが、
Ｗ＝Ｗ０＋（Ｅｉｌ−Ｅｃｐ）×（Ｗｕ−Ｗｕｖ）／Ｅｕ
なる関係を満たすように算出する三刺激値算出ステップとを有することを特徴とする。
【００１３】
一方、上記目的を達成する本発明の係数算出方法は、紫外領域の光強度が互いに異なる所定の２つの測定光のうち、紫外領域の光強度が相対的に高い第１の測定光が、蛍光物質を含む蛍光試料に照射されて、その蛍光試料による反射光と蛍光とが混合した光が分光測光されることにより測定された見かけ上の第１の分光反射率を取得する第１の分光反射率取得ステップ、
上記２つの測定光のうち紫外領域の光強度が相対的に低い第２の測定光が蛍光試料に照射されて、その蛍光試料による反射光と蛍光とが混合した光が分光測光されることにより測定された見かけ上の第２の分光反射率を取得する第２の分光反射率取得ステップ、
蛍光試料に所定の観察光が照射されたときのその蛍光試料の色を表す三刺激値Ｘ，Ｙ，Ｚのうち少なくともいずれか１つの三刺激値Ｗを取得する三刺激値取得ステップ、および
三刺激値取得ステップで取得された三刺激値Ｗと、蛍光試料に含まれている蛍光物質が観察光によって励起される観察光励起エネルギーＥｉｌと、蛍光試料に含まれている蛍光物質が第１の測定光によって励起される測定光励起エネルギーＥｕと、第１の分光反射率取得ステップで取得された第１の分光反射率と同じ分光反射率を真の分光反射率として有する仮想的な第１の物質に第１の測定光が照射されたときのその第１の物質の色を表す三刺激値Ｘｕ，Ｙｕ，Ｚｕのうち上記１つの三刺激値Ｗに対応する三刺激値Ｗｕと、第２の分光反射率取得ステップで取得された第２の分光反射率と同じ分光反射率を真の分光反射率として有する仮想的な第２の物質に第１の測定光が照射されたときのその第２の物質の色を表す三刺激値Ｘｕｖ，Ｙｕｖ，Ｚｕｖのうち上記１つの三刺激値Ｗに対応する三刺激値Ｗｕｖと、第２の物質に観察光が照射されたときのその第２の物質の色を表す三刺激値Ｘ０，Ｙ０，Ｚ０のうち上記１つの三刺激値Ｗに対応する三刺激値Ｗ０とに対して補正係数Ｅｃｐが、
Ｗ＝Ｗ０＋（Ｅｉｌ−Ｅｃｐ）×（Ｗｕ−Ｗｕｖ）／Ｅｕ
なる関係を満たすように、補正係数Ｅｃｐの値、観察光励起エネルギーＥｉｌと補正係数Ｅｃｐとの差の値、補正係数Ｅｃｐと測定光励起エネルギーＥｕとの比の値、観察光励起エネルギーＥｉｌと補正係数Ｅｃｐとの差と測定光励起エネルギーＥｕとの比の値、および補正係数Ｅｃｐと観察光励起エネルギーＥｉｌと測定光励起エネルギーＥｕとを四則演算で組み合わせた係数の値のうち少なくともいずれか１つの値を算出する算出ステップを有することを特徴とする。
【００１４】
本発明の係数算出方法によれば、正確な三刺激値Ｗを用いて、補正係数Ｅｃｐの値や観察光励起エネルギーＥｉｌと補正係数Ｅｃｐとの差の値等を算出することができ、この算出された値が測色時に用いられることにより、正確な測色値が得られる。
【００１５】
本発明の係数算出方法は、上記蛍光試料として、互いに異なる蛍光物質を含む複数種類の蛍光試料が存在する場合に、
上記第１の分光反射率取得ステップが、それら複数種類の蛍光試料それぞれについて測定された分光反射率を取得するものであり、
上記第２の分光反射率取得ステップも、それら複数種類の蛍光試料それぞれについて測定された分光反射率を取得するものであり、
上記算出ステップが、補正係数Ｅｃｐの値、観察光励起エネルギーＥｉｌと補正係数Ｅｃｐとの差の値、補正係数Ｅｃｐと測定光励起エネルギーＥｕとの比の値、観察光励起エネルギーＥｉｌと補正係数Ｅｃｐとの差と測定光励起エネルギーＥｕとの比の値、およびこれらの値に対し数学上等価な値のうち少なくともいずれか１つの値を複数種類の蛍光試料それぞれについて算出するものであることが望ましい。
【００１６】
蛍光物質が異なると、吸収スペクトルや蛍光スペクトルが異なる。このため、蛍光資料に含まれている蛍光物質に応じた補正係数Ｅｃｐ等が算出されていると、蛍光試料の色を測色するに当たって、その蛍光資料に含まれている蛍光物質に応じた補正係数Ｅｃｐ等が用いられることによって、蛍光試料の色を表す測色値が正確に求められる。なお、蛍光物質の種類が同一であり含有量だけが異なる場合には、同一の補正係数Ｅｃｐ等によって正確な測色値が求められる。
【００１７】
また、本発明の係数算出方法は、上記第１の測定光と上記第２の測定光との組み合わせとして、測定光のスペクトルが異なる複数の組み合わせが存在する場合に、
上記第１の分光反射率取得ステップが、それら複数の組み合わせそれぞれの第１の測定光が照射されて測定された分光反射率を取得するものであり、
前記第２の分光反射率取得ステップも、それら複数の組み合わせそれぞれの第２の測定光が照射されて測定された分光反射率を取得するものであり、
上記算出ステップが、補正係数Ｅｃｐの値、観察光励起エネルギーＥｉｌと補正係数Ｅｃｐとの差の値、補正係数Ｅｃｐと測定光励起エネルギーＥｕとの比の値、観察光励起エネルギーＥｉｌと補正係数Ｅｃｐとの差と測定光励起エネルギーＥｕとの比の値、およびこれらの値に対し数学上等価な値のうち少なくともいずれか１つの値を、複数の組み合わせそれぞれについて算出するものであることが好適である。
【００１８】
測定光のスペクトルが異なると、蛍光物質の発光量が異なる。このため、第１の測定光と第２の測定光との組み合わせに応じた補正係数Ｅｃｐ等が算出されていると、蛍光試料の色を測色するに当たって、測定光の組み合わせに応じた補正係数Ｅｃｐ等が用いられることにより正確な測色値が求められる。
【００１９】
上記目的を達成する本発明の係数算出装置は、紫外領域の光強度が互いに異なる所定の２つの測定光のうち、紫外領域の光強度が相対的に高い第１の測定光が、蛍光物質を含む蛍光試料に照射されて、その蛍光試料による反射光と蛍光とが混合した光が分光測光されることにより測定された見かけ上の第１の分光反射率を取得する第１の分光反射率取得手段、
上記２つの測定光のうち紫外領域の光強度が相対的に低い第２の測定光が、上記蛍光試料に照射されて、その蛍光試料による反射光と蛍光とが混合した光が分光測光されることにより測定された見かけ上の第２の分光反射率を取得する第２の分光反射率取得手段、
上記蛍光試料に所定の観察光が照射されたときのその蛍光試料の色を表す三刺激値Ｘ，Ｙ，Ｚのうち少なくともいずれか１つの三刺激値Ｗを取得する三刺激値取得手段、および
三刺激値取得手段によって取得された三刺激値Ｗと、上記蛍光試料に含まれている蛍光物質が観察光によって励起される観察光励起エネルギーＥｉｌと、上記蛍光試料に含まれている蛍光物質が第１の測定光によって励起される測定光励起エネルギーＥｕと、第１の分光反射率取得手段によって取得された第１の分光反射率と同じ分光反射率を真の分光反射率として有する仮想的な第１の物質に第１の測定光が照射されたときのその第１の物質の色を表す三刺激値Ｘｕ，Ｙｕ，Ｚｕのうち上記１つの三刺激値Ｗに対応する三刺激値Ｗｕと、第２の分光反射率取得手段によって取得された第２の分光反射率と同じ分光反射率を真の分光反射率として有する仮想的な第２の物質に第１の測定光が照射されたときのその第２の物質の色を表す三刺激値Ｘｕｖ，Ｙｕｖ，Ｚｕｖのうち上記１つの三刺激値Ｗに対応する三刺激値Ｗｕｖと、第２の物質に観察光が照射されたときのその第２の物質の色を表す三刺激値Ｘ０，Ｙ０，Ｚ０のうち上記１つの三刺激値Ｗに対応する三刺激値Ｗ０とに対して補正係数Ｅｃｐが、
Ｗ＝Ｗ０＋（Ｅｉｌ−Ｅｃｐ）×（Ｗｕ−Ｗｕｖ）／Ｅｕ
なる関係を満たすように、補正係数Ｅｃｐの値、観察光励起エネルギーＥｉｌと補正係数Ｅｃｐとの差の値、補正係数Ｅｃｐと測定光励起エネルギーＥｕとの比の値、観察光励起エネルギーＥｉｌと補正係数Ｅｃｐとの差と測定光励起エネルギーＥｕとの比の値、および補正係数Ｅｃｐと観察光励起エネルギーＥｉｌと測定光励起エネルギーＥｕとを四則演算で組み合わせた係数の値のうち少なくともいずれか１つの値を算出する算出手段を備えたことを特徴とする。
【００２０】
また、上記目的を達成する本発明の係数算出プログラム記憶媒体は、紫外領域の光強度が互いに異なる所定の２つの測定光のうち、紫外領域の光強度が相対的に高い第１の測定光が、蛍光物質を含む蛍光試料に照射されて、その蛍光試料による反射光と蛍光とが混合した光が分光測光されることにより測定された見かけ上の第１の分光反射率を取得する第１の分光反射率取得手段、
上記２つの測定光のうち紫外領域の光強度が相対的に低い第２の測定光が蛍光試料に照射されて、その蛍光試料による反射光と蛍光とが混合した光が分光測光されることにより測定された見かけ上の第２の分光反射率を取得する第２の分光反射率取得手段、
蛍光試料に所定の観察光が照射されたときの蛍光試料の色を表す三刺激値Ｘ，Ｙ，Ｚのうち少なくともいずれか１つの三刺激値Ｗを取得する三刺激値取得手段、および
三刺激値取得手段によって取得された三刺激値Ｗと、蛍光試料に含まれている蛍光物質が観察光によって励起される観察光励起エネルギーＥｉｌと、蛍光試料に含まれている蛍光物質が第１の測定光によって励起される測定光励起エネルギーＥｕと、第１の分光反射率取得手段によって取得された第１の分光反射率と同じ分光反射率を真の分光反射率として有する仮想的な第１の物質に第１の測定光が照射されたときのその第１の物質の色を表す三刺激値Ｘｕ，Ｙｕ，Ｚｕのうち上記１つの三刺激値Ｗに対応する三刺激値Ｗｕと、第２の分光反射率取得手段によって取得された第２の分光反射率と同じ分光反射率を真の分光反射率として有する仮想的な第２の物質に第１の測定光が照射されたときのその第２の物質の色を表す三刺激値Ｘｕｖ，Ｙｕｖ，Ｚｕｖのうち上記１つの三刺激値Ｗに対応する三刺激値Ｗｕｖと、第２の物質に観察光が照射されたときのその第２の物質の色を表す三刺激値Ｘ０，Ｙ０，Ｚ０のうち上記１つの三刺激値Ｗに対応する三刺激値Ｗ０とに対して補正係数Ｅｃｐが、
Ｗ＝Ｗ０＋（Ｅｉｌ−Ｅｃｐ）×（Ｗｕ−Ｗｕｖ）／Ｅｕ
なる関係を満たすように、補正係数Ｅｃｐの値、観察光励起エネルギーＥｉｌと補正係数Ｅｃｐとの差の値、補正係数Ｅｃｐと測定光励起エネルギーＥｕとの比の値、観察光励起エネルギーＥｉｌと補正係数Ｅｃｐとの差と測定光励起エネルギーＥｕとの比の値、および補正係数Ｅｃｐと観察光励起エネルギーＥｉｌと測定光励起エネルギーＥｕとを四則演算で組み合わせた係数の値のうち少なくともいずれか１つの値を算出する算出手段を備えた係数算出プログラムが記憶されてなることを特徴とする。
【００２１】
なお、本発明の係数算出装置および本発明にいう係数算出プログラムについては、ここではその基本形態のみを示すのにとどめるが、これは単に重複を避けるためであり、本発明の係数算出装置等には、上記の基本形態の係数算出装置および係数算出プログラムのみではなく、前述した係数算出方法の各形態に対応する各種の形態の係数算出装置および係数算出プログラムが含まれる。
【００２２】
また、上記本発明の係数算出装置と、上記係数算出プログラムとでは、それらを構成する構成要素名として、三刺激値取得手段や算出手段といった互いに同一の名称を付しているが、係数算出装置の場合は、そのような作用をなすソフトウェアとハードウェアとの結合を指し、係数算出プログラムの場合は、そのような作用をなすソフトウェアの部分のみを指している。
【００２３】
【発明の実施の形態】
以下、本発明の実施形態について説明する。
【００２４】
図１は、本発明の測色装置の一実施形態を示す図である。
【００２５】
この測色装置１０は、上述した簡易な分光反射率測定装置２０とノート型のパーソナルコンピュータ３０とを接続して構成されている。
【００２６】
分光反射率測定装置２０は本発明にいう分光反射率測定部の一例であり、この分光反射率測定装置２０は、分光測光部２１内に所定の測定光源を有し、その測定光源の光をテーブル２２上のカラーチャート４０のパッチ４１に照射して、そのパッチ４１で反射された光を分光測光することによりパッチ４１の分光反射率を測定するものである。また、この分光反射率測定装置２０には紫外光の強度を減衰させる紫外カットフィルタが備えられており、測定光源の光をパッチ４１にそのまま照射する測定状態と、紫外カットフィルタを測定光源の光に作用させた後の光をパッチ４１に照射する測定状態との双方で測定することができる。但し、紫外カットフィルタによる紫外光の減衰は不完全であり、測定光源の光に紫外カットフィルタが作用した後の光であっても紫外光をかなり含んでいる。
【００２７】
パーソナルコンピュータ３０は本発明にいう三刺激値算出部の一例であり、図２は、そのパーソナルコンピュータ３０のハードウェア構成図である。以下、図１および図２を参照して説明する。
【００２８】
このパーソナルコンピュータ３０は、外観構成上、本体３１、その本体３１からの指示に応じて液晶画面３２ａ上に画像を表示する液晶ディスプレイ３２、本体３１に、キー操作に応じた各種の情報を入力するキーボード３３、液晶画面３２ａ上の任意の位置を指定することにより、その位置に表示された、例えばアイコン等に応じた指示を入力するポインティングデバイス３４、および、フロッピーディスク（登録商標）５０が装填されその装填されたフロッピーディスク（登録商標）５０をアクセスするＦＤドライブ３５を備えている。また、本体３１は、外観上、ＣＤ−ＲＯＭ６０を装填するためのＣＤ−ＲＯＭ装填口３１ａを有する。
【００２９】
本体３１の内部には、図２に示すように、各種プログラムを実行するＣＰＵ３１１、ハードディスク装置３１３に格納されたプログラムが読み出されＣＰＵ３１１での実行のために展開される主メモリ３１２、各種プログラムやデータ等が保存されたハードディスク装置３１３、ＣＤ−ＲＯＭ６０が装填され、その装填されたＣＤ−ＲＯＭ６０をアクセスするＣＤ−ＲＯＭドライブ３１５、分光反射率測定装置２０と接続され、分光反射率測定装置２０から測定データを受け取るＩ／Ｏインタフェース３１６が内蔵されており、これらの各種要素と、さらに液晶ディスプレイ３２、キーボード３３、ポインティングデバイス３４、ＦＤドライブ３５とは、バス３１７を介して相互に接続されている。
【００３０】
ここでは、ＣＤ−ＲＯＭ６０に、このパーソナルコンピュータ３０を本発明にいう三刺激値算出部として動作させるためのプログラムが記憶されており、そのＣＤ−ＲＯＭ６０はＣＤ−ＲＯＭドライブ３１５に装填され、そのＣＤ−ＲＯＭ６０に記憶されたプログラムがこのパーソナルコンピュータ３０にアップロードされてハードディスク装置３１３に記憶される。また、ここでは、フロッピーディスク（登録商標）５０からパーソナルコンピュータ３０に、等色関数や、本発明にいう測定光励起エネルギーＥｕや、本発明にいう補正係数Ｅｃｐや、所定の複数種類の観察光それぞれに応じた本発明にいう観察光励起エネルギーＥｉｌや、それら複数種類の観察光それぞれのスペクトルなどがアップロードされてハードディスク装置３１３に記憶されており、必要に応じて主メモリ３１２に読み込まれて計算に利用される。
【００３１】
図３は、図１に示す測色装置１０による測色のフローチャートである。
【００３２】
先ず、図１に示す分光反射率測定装置２０によって、測定光源の光がそのままパッチに照射されてパッチ４１の分光反射率が測定される（ステップＳ１０１）。また、分光反射率測定装置２０によって、紫外カットフィルタを測定光源の光に作用させた後の光がパッチ４１に照射されて分光反射率が測定される（ステップＳ１０２）。このように測定された分光反射率は、チャート４０の紙に含まれている蛍光増白剤による蛍光と反射光とが混合した光に基づく見かけ上の分光反射率であり、ステップＳ１０１で得られる第１の分光反射率とステップＳ１０２で得られる第２の分光反射率とは相違している。
【００３３】
これら第１および第２の分光反射率が、図１に示すパーソナルコンピュータ３０に入力され、これらの分光反射率や等色関数等に基づいて、第２の分光反射率と同じ分光反射率を真の分光反射率として有する仮想的な物質に観察光が照射されたときのその物質の色を表す三刺激値Ｘ０，Ｙ０，Ｚ０と、蛍光増白剤の蛍光によって生じる三刺激値のずれ分ΔＸ，ΔＹ，ΔＺが算出される（ステップＳ１０３）。三刺激値のずれ分ΔＸ，ΔＹ，ΔＺは、上記第１の分光反射率を真の分光反射率として有する仮想的な第１の物質に測定光源の光がそのまま照射されたときのその第１の物質の色を表す三刺激値Ｘｕ，Ｙｕ，Ｚｕと、上記第２の分光反射率を真の分光反射率として有する仮想的な第２の物質に測定光源の光がそのまま照射されたときのその第２の物質の色を表す三刺激値Ｘｕｖ，Ｙｕｖ，Ｚｕｖと、蛍光増白剤が測定光源の光によって励起される測定光励起エネルギーＥｕとに基づいて、
ΔＸ＝（Ｘｕ−Ｘｕｖ）／Ｅｕ
ΔＹ＝（Ｙｕ−Ｙｕｖ）／Ｅｕ
ΔＺ＝（Ｚｕ−Ｚｕｖ）／Ｅｕ
なる関係式に従って算出される。図３に示すフローチャートでは、三刺激値Ｘ０，Ｙ０，Ｚ０や三刺激値のずれ分ΔＸ，ΔＹ，ΔＺ等が三刺激値Ｘ０，三刺激値のずれ分ΔＸで代表されて示されており、同様に以下の説明では、三刺激値Ｘ，Ｙ，Ｚ等を三刺激値Ｘ等で代表させる場合がある。
【００３４】
ステップＳ１０３で三刺激値Ｘ０，Ｙ０，Ｚ０と、三刺激値のずれ分ΔＸ，ΔＹ，ΔＺが算出された後、それらの算出値と、図２に示すハードディスク装置３１３に記憶されている観察光励起エネルギーＥｉｌおよび補正係数Ｅｃｐとに基づいて、パッチの色の三刺激値Ｘ，Ｙ，Ｚが、
Ｘ＝Ｘ０＋（Ｅｉｌ−Ｅｃｐ）×ΔＸ
Ｙ＝Ｙ０＋（Ｅｉｌ−Ｅｃｐ）×ΔＹ
Ｚ＝Ｚ０＋（Ｅｉｌ−Ｅｃｐ）×ΔＺ
なる関係式に従って算出される（ステップＳ１０４）。後述するように、補正係数Ｅｃｐとしてあらかじめ適切な値が求められており、この補正係数Ｅｃｐが存在する式が用いられることによって、分光反射率測定装置の紫外カットフィルタによる紫外線除去の不完全さが補正された正確な三刺激値Ｘ，Ｙ，Ｚが得られる。なお、図１に示すパーソナルコンピュータ３０には、必ずしも補正係数Ｅｃｐの値が記憶される必要はなく、観察光励起エネルギーＥｉｌと補正係数Ｅｃｐとの差の値などといった補正係数等が記憶され、記憶された補正係数等によって三刺激値Ｘ，Ｙ，Ｚが算出されてもよい。
【００３５】
この関係式によって算出された三刺激値Ｘ，Ｙ，Ｚは、図１に示す各パッチ４１に対応付けられて液晶画面３２ａ上に表示される。
【００３６】
次に、上述した補正係数等を算出する本発明の係数算出装置の実施形態について説明する。
【００３７】
図４は、本発明の係数算出装置の一実施形態を含む係数算出システムの構成図である。
【００３８】
この係数算出システム７０は、基準測色装置８０と、分光反射率測定装置２０と、コンピュータ９０で構成されており、このコンピュータ９０は、本発明の係数算出装置の一実施形態として動作する。
【００３９】
基準測色装置８０は、紫外領域の光を完全にカットすることができる紫外カットフィルタを備えており、上述した特開平１０−１７６９５３号広報に提案されている測色方法によって正確な測色値を得ることができる測色装置である。
【００４０】
分光反射率測定装置２０は、図１に示す分光反射率測定装置２０と同じの装置である。
【００４１】
コンピュータ９０には、あらかじめ、所定の複数種類の観察光それぞれのスペクトルや、等色関数などが記憶されており、分光反射率測定装置２０用の補正係数等を、この分光反射率測定装置２０によって測定された分光反射率や、基準測色装置８０によって測定された測色値や、記憶されている等色関数などに基づいて算出する。そして、算出された補正係数等が、図１に示すパーソナルコンピュータ３０に記憶される。
【００４２】
図５は、図４に１つのブロックで示すコンピュータ９０の外観斜視図、図６は、そのコンピュータのハードウェア構成図である。
【００４３】
図１に示すパーソナルコンピュータ３０と同様に、このコンピュータ９０は、本体９１、ディスプレイ９２、キーボード９３を備えており、図１に示すポインティングデバイス３４と同様な機能を有するマウス９４も備えている。そして本体９１は、外観上、フロッピーディスク（登録商標）装填口９１ａ、およびＣＤ−ＲＯＭ装填口９１ｂを有する。
【００４４】
図１に示す本体３１同様に、この図５に示す本体９１の内部には、図６に示すように、ＣＰＵ９１１、主メモリ９１２、ハードディスク装置１００、ＣＤ−ＲＯＭドライブ９１５が内蔵されている。また、ＦＤドライブ９１４も内蔵されており、基準測色装置８０および分光反射率測定装置２０（図４参照）と接続され、基準測色装置８０および分光反射率測定装置２０から測定データを受け取るＩ／Ｏインタフェース９１６も内蔵されている。
【００４５】
これらの各種要素と、さらにディスプレイ９２、キーボード９３、マウス９４は、バス９５を介して相互に接続されている。
【００４６】
ここで、ＣＤ−ＲＯＭ６１には、このコンピュータ９０を係数算出装置として動作させるための係数算出プログラムが記憶されており、そのＣＤ−ＲＯＭ６１はＣＤ−ＲＯＭドライブ９１５に装填され、そのＣＤ−ＲＯＭ６１に記憶された係数算出プログラムがこのパーソナルコンピュータ９０にアップロードされてハードディスク装置１００に記憶される。
【００４７】
ここで、ＣＤ−ＲＯＭ６１に本発明にいう係数算出プログラムの一実施形態が記憶されているときは、このＣＤ−ＲＯＭ６１は本発明の係数算出プログラム記憶媒体の一実施形態に相当し、その係数算出プログラムがアップロードされてハードディスク装置１００に格納されたときは、その係数算出プログラムが格納された状態にあるハードディスク装置１００も本発明の係数算出プログラム記憶媒体の一実施形態に相当する。さらにその係数算出プログラムがフロッピーディスク（登録商標）５１にダウンロードされたときは、その係数算出プログラムを記憶した状態にあるフロッピーディスク（登録商標）５１も、本発明の係数算出プログラム記憶媒体の一実施形態に相当する。
【００４８】
図７は、図４に示す係数算出システム７０による補正係数等の算出手順を表すフローチャートである。
【００４９】
先ず、分光反射率測定装置２０によって、蛍光増白剤を含む白紙に測定光源の光がそのまま照射されてその白紙の見かけ上の分光反射率が測定され、コンピュータ９０に取得される（ステップＳ２０１）。また、分光反射率測定装置２０によって、紫外カットフィルタを測定光源の光に作用させた後の光が白紙に照射されて白紙の見かけ上の分光反射率が測定され、コンピュータ９０に取得される（ステップＳ２０２）。更に、所定の観察光下での白紙の色を表す正確な測色値Ｘ，Ｙ，Ｚが基準測色装置８０によって測定され、コンピュータ９０に取得される（ステップＳ２０３）。
【００５０】
その後、分光反射率測定装置２０によって測定された分光反射率や、あらかじめ用意されている等色関数等に基づいて、上記ステップＳ２０１で測定された見かけ上の第１の分光反射率を真の分光反射率として有する仮想的な第１の物質に測定光源の光がそのまま照射されたときのその第１の物質の色を表す三刺激値Ｘｕ，Ｙｕ，Ｚｕと、上記ステップＳ２０２で測定された見かけ上の第２の分光反射率を真の分光反射率として有する仮想的な第２の物質に測定光源の光がそのまま照射されたときのその第２の物質の色を表す三刺激値Ｘｕｖ，Ｙｕｖ，Ｚｕｖと、その第２の物質に所定の観察光が照射されたときのその第２の物質の色を表す三刺激値Ｘ０，Ｙ０，Ｚ０が算出される（ステップＳ２０４）。但し、観察光が照射されたときの第２の物質の色を表す三刺激値Ｘ０，Ｙ０，Ｚ０が算出される際には、図４に示す基準測色装置８０と分光反射率測定装置２０との間における、紫外カットフィルタを除く種々の要因による測定器間の測定値の相違をキャンセルするための補正係数が用意されており、この補正係数が用いられて、これらの三刺激値Ｘ０，Ｙ０，Ｚ０が算出される。測定器間の相違をキャンセルする補正係数の求め方については後述する。
【００５１】
次に、測定光励起エネルギーＥｕが算出される（ステップＳ２０５）。この測定光励起エネルギーＥｕは、図１に示すパーソナルコンピュータ３０に記憶されて測色値の算出に用いられる値であり、ここであらかじめ求めておく。
【００５２】
ところで、測定光励起エネルギーＥｕは、測定光源から発せられる光のスペクトルが分かっていれば、蛍光増白剤の吸収スペクトルを用いて容易に計算することができる。しかし、図１に示す分光反射率測定装置２０として市販の分光反射率測定装置を流用するような場合には、測定光源から発せられる光のスペクトルが分からない場合も多い。そこで、ここでは、以下説明する手順で測定光励起エネルギーＥｕを算出する。
【００５３】
先ず、基準測色装置８０で測色値が求められた際に測定された白紙の分光反射率を取得し、その分光反射率と基準測色装置８０の測定光源のスペクトルとを用いて、蛍光増白剤の蛍光によって生じる三刺激値のずれ分ΔＸ（あるいはΔＹやΔＺ）を算出する。
【００５４】
次に、分光反射率測定装置２０で測定された白紙の分光反射率と、分光反射率測定装置２０の測定光源と同種の光源であると推測される所定の推測光源のスペクトルとを用いて、上述した第１の物質の色を表す三刺激値Ｘｕと第２の物質の色を表す三刺激値Ｘｕｖとを算出し、
ΔＸ＝（Ｘｕ−Ｘｕｖ）／Ｅｕ
なる関係式を用いて測定光励起エネルギーＥｕを算出する。
【００５５】
ステップＳ２０５においてこのように測定光励起エネルギーＥｕが算出された後、その測定光励起エネルギーＥｕと、ステップＳ２０３で取得された測色値Ｘ，Ｙ，Ｚと、ステップＳ２０４で算出された三刺激値Ｘｕ，Ｙｕ，Ｚｕ；Ｘｕｖ，Ｙｕｖ，Ｚｕｖ；Ｘ０，Ｙ０，Ｚ０と、あらかじめ算出されている観察光励起エネルギーＥｉｌとに対して補正係数Ｅｃｐが
Ｘ＝Ｘ０＋（Ｅｉｌ−Ｅｃｐ）×（Ｘｕ−Ｘｕｖ）／Ｅｕ
Ｙ＝Ｙ０＋（Ｅｉｌ−Ｅｃｐ）×（Ｙｕ−Ｙｕｖ）／Ｅｕ
Ｚ＝Ｚ０＋（Ｅｉｌ−Ｅｃｐ）×（Ｚｕ−Ｚｕｖ）／Ｅｕ
なる関係を満たすように、補正係数Ｅｃｐの値や観察光励起エネルギーＥｉｌと補正係数Ｅｃｐとの差の値などといった補正係数等が算出される（ステップＳ２０６）。このように算出された補正係数等は、図６に示すフロッピーディスク（登録商標）５１に記憶され、そのフロッピーディスク（登録商標）５１が、図１に示すフロッピーディスク（登録商標）５０としてパーソナルコンピュータ３０に装填され、パーソナルコンピュータ３０に補正係数等がアップロードされる。そして、この補正係数等が用いられることによって正確な測色値が測定されることとなる。
【００５６】
以下では、上述した測定器間の相違をキャンセルする補正係数の求め方について説明する。このような補正係数としては、例えば以下説明するような３種類の補正係数が考えられる。
【００５７】
３種類の補正係数のうちのいずれの補正係数が求められる場合であっても、先ず、蛍光増白剤を殆ど含まない試料について、図４に示す基準測色装置８０と分光反射率測定装置２０のそれぞれによって分光反射率が測定される。
【００５８】
そして、第１の補正係数が求められる場合には、基準測色装置８０と分光反射率測定装置２０のそれぞれによって測定された分光反射率の比が、光の波長の関数として求められ、この比が、第１の補正係数として用いられる。
【００５９】
また、第２の補正係数が求められる場合には、基準測色装置８０と分光反射率測定装置２０のそれぞれによって測定された分光反射率が可視光領域で積分された値の比が求められ、この比が第２の補正係数として用いられる。
【００６０】
また、第３の補正係数が求められる場合には、基準測色装置８０と分光反射率測定装置２０によって測定された分光反射率それぞれに基づいて、所定の観察光源下での試料の色の三刺激値が算出され、基準測色装置８０による分光反射率に基づく三刺激値と、分光反射率測定装置２０による分光反射率に基づく三刺激値との比が求められて、この比が第３の補正係数として用いられる。
【００６１】
これらの、測定器間の相違をキャンセルする補正係数が用いられることによって、分光反射率測定装置２０を用いた測色のための上述した補正係数Ｅｃｐ等が正確に求められる。
【００６２】
図８は、本発明の係数算出プログラム記憶媒体の一実施形態を示す図である。
【００６３】
この図８には、図６に示すＣＤ−ＲＯＭ６１に記憶されている係数算出プログラムがインストールされたハードディスク装置１００が示されている。
【００６４】
ハードディスク装置１００に記憶された係数算出プログラム１１０には、分光反射率取得手段１１１、三刺激値取得手段１１２、算出手段１１３およびその他の手段が備えられている。分光反射率取得手段１１１は、図７のステップＳ２０１およびステップＳ２０２で測定された分光反射率を取得する手段であり、三刺激値取得手段１１２はステップＳ２０３で測定された測色値を取得する手段であり、算出手段１１３はステップＳ２０４〜ステップＳ２０６を実行する手段である。
【００６５】
図８に示す係数算出プログラム１１０を構成するその他の手段には、例えば算出された補正係数等をフロッピーディスク（登録商標）にダウンロードする手段などが含まれる。
【００６６】
【発明の効果】
以上説明したように、本発明の測色装置および測色方法によれば、正確な測色値を簡易な測色装置で得ることができる。
【００６７】
また、本発明の係数算出方法、係数算出装置によれば、そのような測色装置、測色方法に用いられる補正係数などを算出することができる。
【００６８】
更に、本発明の係数算出プログラム記憶媒体に記憶されている係数算出プログラムは、そのような係数算出装置としてコンピュータシステムを動作させることができる。
【図面の簡単な説明】
【図１】本発明の測色装置の一実施形態を示す図である。
【図２】図１に示すパーソナルコンピュータのハードウェア構成図である。
【図３】測色装置による測色のフローチャートである。
【図４】本発明の係数算出装置の一実施形態を含む係数算出システムの構成図である。
【図５】図４に１つのブロックで示すコンピュータの外観斜視図である。
【図６】図４に１つのブロックで示すコンピュータのハードウェア構成図である。
【図７】係数算出システムによる補正係数等の算出手順を表すフローチャートである。
【図８】本発明の係数算出プログラム記憶媒体の一実施形態を示す図である。
【符号の説明】
１０    測色装置
２０    分光反射率測定装置
２１    分光測光部
２２    テーブル
３０    パーソナルコンピュータ
３１    本体
３１ａ    ＣＤ−ＲＯＭ装填口
３２    液晶ディスプレイ
３２ａ    液晶画面
３３    キーボード
３４    ポインティングデバイス
３５    ＦＤドライブ
４０    カラーチャート
４１    パッチ
５０，５１    フロッピーディスク（登録商標）
６０，６１    ＣＤ−ＲＯＭ
７０    係数算出システム
８０    基準測色装置
９０    コンピュータ
９１    本体
９１ａ    フロッピーディスク（登録商標）装填口
９１ｂ    ＣＤ−ＲＯＭ装填口
９２    ディスプレイ
９３    キーボード
９４    マウス
９５    バス
１００    ハードディスク装置
１１０    係数算出プログラム
１１１    分光反射率取得手段
１１２    三刺激値取得手段
１１３    算出手段
３１１，９１１    ＣＰＵ
３１２    主メモリ
３１３    ハードディスク装置
３１５，９１５    ＣＤ−ＲＯＭドライブ
３１６，９１６    Ｉ／Ｏインタフェース
３１７    バス
９１４    ＦＤドライブ
【図１】
0003810049.tif 000002
【図２】
0003810049.tif 000003
【図３】
0003810049.tif 000004
【図４】
0003810049.tif 000005
【図５】
0003810049.tif 000006
【図６】
0003810049.tif 000007
【図７】
0003810049.tif 000008
【図８】
0003810049.tif 000009